(57)【要約】      （修正有）【課題】収集運搬業者に好適する特に家電リサイクル券に利用できるリサイクル券管理システムの提供。【解決手段】回収ステップ、受領ステップ及び返却ステップからなり、ハンディスキャナ２及びコンピュータ装置６を利用して運用される。ハンディスキャナ２は、メニュー画面として、回収、受領、返却、番号照合及び予備が機能する。前記回収ステップは、ハンディスキャナ２に担当者コード及び小売業者コードを入力し、現品貼付リサイクル券３及び小売業者控リサイクル券４のバーコードを読取る。受領ステップは、前記ハンディスキャナ２に担当者コードを入力し、受領印の付された小売業者回付リサイクル券５のバーコードを読取る。前記返却ステップは、ハンディスキャナ２に担当者コードを入力し、小売業者回付リサイクル券５のバーコードを読取り、前記回収ステップ及び前記受領ステップで得られた各情報が、前記コンピュータ装置６に転送され取込まれる。【選択図】図１
2009252226.tif 000002
【特許請求の範囲】
【請求項１】
小売業者ストックヤードに集められたリサイクル券貼付の廃棄物が、ハンディスキャナを携帯する収集運搬業者によって指定取引場所に搬送されるときに適用されるリサイクル券管理システムであって、
前記小売業者ストックヤードでは、前記ハンディスキャナに担当者コード及び小売業者コードを入力し、現品貼付リサイクル券及び小売業者控リサイクル券のバーコードを読取るようにした回収ステップを備え、
前記指定取引場所では、前記ハンディスキャナに担当者コードを入力し、受領印の付された小売業者回付リサイクル券のバーコードを読取るようにした受領ステップを備え、
前記収集運搬業者による小売業者回付リサイクル券の返却では、前記ハンディスキャナに担当者コードを入力し、小売業者回付リサイクル券のバーコードを読取る第１ステップと、回収ステップ、受領ステップ及び第１ステップにおける各情報を受信するコンピュータ装置を含み、このコンピュータ装置によって作成された日付管理可能な返却リストが、前記小売業者回付リサイクル券に添付される第２ステップとからなる返却ステップを備えるようにしたことを特徴とするリサイクル券管理システム。
【請求項２】
前記リサイクル券は、家電リサイクル券であることを特徴とする請求項１に記載のリサイクル券管理システム。
【請求項３】
前記ハンディスキャナは、メニュー画面として、回収、受領、返却、番号照合及び予備が備えられていることを特徴とする請求項１又は請求項２に記載のリサイクル券管理システム。
【請求項４】
前記返却リストは、お客様である回付業者ごとに、バーコード、リサイクル券番号（お問合せ管理票番号）、回収日、搬入日及び備考に関する管理事項が記載されるようにしたリサイクル券リストであることを特徴とする請求項１〜請求項３のいずれかに記載のリサイクル券管理システム。
【発明の詳細な説明】
【技術分野】
【０００１】  本発明は、特定家庭用機器廃棄物等のリサイクル券管理システムに関し、特に収集運搬業者に好適する業者回付リサイクル券の返却処理における管理システムに関する。
【背景技術】
【０００２】  従来、この種のリサイクル券管理システムとしては、所定料金の支払により発行されるリサイクル券を廃棄される電気機器に貼付することにより廃棄物を特定し、適正なリサイクルプラントへ選択的に搬送する物流管理システムにおいて、引取場所で特定された廃棄物のデータとリサイクルプラントにおいて特定された廃棄物のデータとを比較するようにしたものが開示されている（例えば特許文献１）。
しかしながら、この管理システムは、ストックヤード、運搬業者及びリサイクルプラントの協同作業が前提となっているもので、廃棄物に関するデータの適正な入力、確認作業等の管理が正確に行われないと、システム全体として適正な運営が行われないという欠点を有している。
【特許文献１】特開２００２−２３０１５３号公報
【発明の開示】
【発明が解決しようとする課題】
【０００３】  解決しようとする課題は、小売業者回付リサイクル券に見られるように、収集運搬業者には、必然的に廃棄物の適正な運搬管理が求められていることにある。
つまり、収集運搬業者は、廃棄物を小売業者ストックヤードから、商品別、製造業者別など所定の指定取引場所に適確に搬送しなければならないが、現実には、リサイクル券の誤記載、小売業者ストックヤードにおける一部紛失、搬送途中での一部紛失、作業ミスによる小売業者ストックヤードへの置き去りなど予期し得ない事故が発生している。
一方、従来の小売業者回付リサイクル券は、前述した事故の発生等の場合には、小売業者が廃棄物の搬送状況等に関する情報を把握することができない状況にある。このため、小売業者回付リサイクル券には、搬送現場における管理機能を直接反映させた一元管理に関する改善が要求されている。
このようなことから、本発明では、上述の点に鑑みなされたもので、これらの問題点を基本的に解消し得ることを目的とし、また収集運搬業者の負担を最小限にするとともに、回付業者には、適確な情報提供をする一元管理によって信頼性を確保できることを目的としている。
【課題を解決するための手段】
【０００４】  本発明に係る請求項１記載のリサイクル券管理システムは、小売業者ストックヤードに集められたリサイクル券貼付の廃棄物が、ハンディスキャナを携帯する収集運搬業者によって指定取引場所に搬送されるときに適用されるリサイクル券管理システムであって、前記小売業者ストックヤードでは、前記ハンディスキャナに担当者コード及び小売業者コードを入力し、現品貼付リサイクル券及び小売業者控リサイクル券のバーコードを読取るようにした回収ステップを備え、前記指定取引場所では、前記ハンディスキャナに担当者コードを入力し、受領印の付された小売業者回付リサイクル券のバーコードを読取るようにした受領ステップを備え、前記収集運搬業者による小売業者回付リサイクル券の返却では、前記ハンディスキャナによって担当者コードを入力し、小売業者回付リサイクル券のバーコードを読取る第１ステップと、回収ステップ及び受領ステップ及び第１ステップにおける各情報を受信するコンピュータ装置を含み、このコンピュータ装置によって作成された日付管理可能な返却リストが、前記小売業者回付リサイクル券に添付される第２ステップとからなる返却ステップを備えるようにしたことを特徴とする。【０００５】  上記構成によれば、本発明に係るリサイクル券管理システムは、収集運搬業者が現場で直接ハンディスキャナを操作することから、人為的なミスを防止することができ、しかも専用のハンディスキャナを用意することで、収集運搬業者の負担を最小限に抑えることができる。
また、本発明に係るリサイクル券管理システムは、小売業者ストックヤード及び指定取引場所では、廃棄物に対する小売業者及び収集運搬業者の現品回収及び現品搬入に関する日付等客観的な管理事項を直接特定できることから、適正な管理が可能になる。この場合、入力情報及び読取情報については、確認、再確認、二度読取り防止等を配慮することで、正確性を確保することができる。
さらに、本発明に係るリサイクル券管理システムは、収集運搬業者のコンピュータ装置では、回収ステップ、受領ステップ及び第１ステップにおける各情報を受信し、取込むので、リサイクル券管理の正確性が期される。
そして、小売業者回付リサイクル券には、日付管理可能な返却リストが添付されるため、廃棄物処理に関する一連の情報提供によって一元管理が可能になり、回付業者に対する信頼性も確保できる。【０００６】  請求項２記載のリサイクル券管理システムは、前記リサイクル券が家電リサイクル券であることを特徴とする請求項１に記載のリサイクル券管理システムである。
特に、家庭用電気機器では、業者回付リサイクル券などをそのまま適用することができる。【０００７】  請求項３記載のリサイクル券管理システムでは、前記ハンディスキャナは、メニュー画面として、回収、受領、返却、番号照合及び予備が備えられていることを特徴とする請求項１又は請求項２に記載のリサイクル券管理システムである。
上記構成によれば、回収、受領、返却、番号照合によるメニューによって、廃棄物に関する管理事項を正確に特定することができる。【０００８】  請求項４記載のリサイクル券管理システムでは、前記返却リストは、お客様である回付業者ごとに、バーコード、リサイクル券番号（お問合せ管理票番号）、回収日、搬入日及び備考に関する管理事項が記載されるようにしたことを特徴とする請求項１〜請求項３のいずれかに記載のリサイクル券管理システムである。
上記構成によれば、返却リストには、廃棄物に関する一連の管理事項が記載されていることから、回付業者は、排出者等からの問合せに対しても、これに直接対応することが可能になる。
【発明の効果】
【０００９】  本発明に係るリサイクル券管理システムは、収集運搬業者が、小売業者ストックヤード及び指定取引場所の現場で、直接、廃棄物に対する管理事項を入力し、読取ることから、人為的なミスが防止され、適正な管理が行えるという利点を有する。
また、本発明に係るリサイクル券管理システムは、回収ステップ、受領ステップ及び返却ステップの第１ステップにおける各情報が収集運搬業者のコンピュータ装置に転送され、返却ステップの第２ステップに反映されることから、一連の適正な管理が可能になるという利点を有する。
さらに、本発明に係るリサイクル券管理システムは、小売業者回付リサイクル券には、日付管理可能な返却リストが添付され、小売業者側にも、収集運搬業者の管理事項が情報提供されることで一元管理が可能になる。このため、小売業者側でも、廃棄物の処理状況を把握でき、しかも排出者等からの問合せ対応にも利用できるので、小売業者に対する信頼性を高めることができるという利点を有する。
【発明を実施するための形態】
【００１０】  以下、本発明に係るリサイクル券管理システムについて、添付図面を参照しながら詳細に説明する。図１は、本発明に係るリサイクル券管理システムを説明するために示した概念的なブロック図である。
図１では、特に廃棄物の対象をエアコン、テレビ等の家庭用電気機器としたものであり、小売業者ストックヤードＫＳＹ内における回収ステップ、指定取引場所ＳＨＢ内における受領ステップ及び収集運搬業者の社内における返却ステップがそれぞれ概念的に示されている。
また、図２では、リサイクル券として、特定家庭用機器廃棄物に関する家電リサイクル券１が示されている。つまり、家電リサイクル券１は、▲２▼小売業者回付の場合を例示したものであり、排出者、小売業者、品目、製造業者等名、収集運搬業者等の廃棄物関係項目のほか、バーコード、お問合せ管理票番号（リサイクル番号）、その他の項目等が記載されるようになっている。
なお、本発明に係るリサイクル券管理ステムは、前記家電リサイクル券１に限らず、他の同様なリサイクル券においても適用可能である。この場合、収集運搬業者側からみれば、小売業者は、お客様・得意先である回付業者であり、小売業者回付リサイクル券は、業者回付リサイクル券に相当する。また、小売業者は、販売店であったり、一部の地方公共団体であったりする。
さらに、図３では、ハンディスキャナ２の検索メニュー画面の関係を説明するブロック図が示されている。これは、特に収集運搬業者の担当者に負担をかけないよう専用化されているものである。
【００１１】  図１において、前記回収ステップは、小売業者ストックヤードＫＳＹ内で行われるものであり、収集運搬業者は、図３で示される回収作業時のボタン操作のメニューによれば、前記ハンディスキャナ２に担当者コード及び小売業者コードを入力する。この場合、小売業者は、収集運搬業者にとっては、お客様・得意先であり、一般の廃棄物の場合では、回付業者に相当する。なお、これらのコードは、数字ボタンでも入力できるようになっている。
次いで、廃棄物に貼付された現品貼付リサイクル券３のバーコードから商品読取を行い、小売業者控リサイクル券４のバーコードから券読取を行うことで、ハンディスキャナ２の操作が終了になる。なお、この操作にあたっては、確認、再確認、二度読取防止が配慮されたソフトが組まれており、これに伴って、正確な入力及び読取が確保されるようになっている。
前記受領ステップは、指定取引場所ＳＨＢ内で行われるもので、収集運搬業者は、搬送車によって廃棄物を指定取引場所ＳＨＢ内に搬入する。
そして、受領操作時のボタン操作のメニューによれば、前記ハンディスキャナ２を操作して、担当者コードを入力し、次いで、収集運搬業者は、受領印の付された小売業者回付リサイクル券５のバーコードから受領券の読取を行う。この操作にあたっても前述した確認、再確認、二度読取防止が期されるようになっている。
【００１２】  前記返却ステップは、通常、収集運搬業者の社内で行われるもので、第１ステップ及び第２ステップからなっている。第１ステップでは、返却作業時のボタン操作のメニューによれば、ハンディスキャナ２に担当者コード及びお客様である小売業者コードを入力し、次いで、小売業者回付リサイクル券５のバーコードから返却券読取を行う。
なお、ハンディスキャナ２の検索メニューには、図３で示されているように、番号照合及び予備に関するものが備えられ、確認、修正等を含めて適正な操作が行えるように配慮されている。
そして、第１ステップで得られた各入力情報及び読取情報は、回収ステップ及び受領ステップで得られた各情報と併せて、前記廃棄物に関する作業データを構成する。この作業データは、収集運搬業者の備えたコンピュータ装置６に転送され、図４のブロック図の上段で示される手順で取込まれる。
図４において、ハンディスキャナ２で得られた作業データの読込は、まず、前記コンピュータ装置６に付設された受信可能な通信ユニット（図示せず）にハンディスキャナ２を置くことにより、ハンディスキャナ２からの受信が開始され、返却データ取込が行われる。この場合、返却データ取込では、個別取込、一括取込があり、承認のあるものが取込まれることで取込みが終了する。
【００１３】  また、前記返却ステップの第２ステップでは、小売業者回付リサイクル券５の返却にあたって、返却リスト７が小売業者回付リサイクル券５に添付されるように配慮されている。これは、収集運搬業者が廃棄物に関する搬送管理事項を小売業者に提供することで、一元管理されていることを明らかにして、小売業者側に信頼性を与えることを目的としたものである。
前記返却リスト７の作成は、前記コンピュータ装置６によって行われるが、その手順は、図４のブロック図の下段に示されている。つまり、前記コンピュータ装置６によれば、回収ステップ、受領ステップ及び返却ステップからの各情報が反映されるソフトが組まれていることから、返却処理日の入力設定をすれば、図５で示されるようなリサイクル券リスト７ａが印刷される。
このリサイクル券リスト７ａは、お客様（小売業者・得意先）ごとに仕分けられており、バーコード、リサイクル番号（お問合せ管理票番号）、回収日、搬入日及び備考がそれぞれ記載されるようになっている。なお、リサイクル券リスト７ａの仕分けは、コード別や５０音別などで行なわれる。
そして、図４の後段で示されているように、処理日例えば、２００８年２月１日の処理日をコンピュータ装置６に入力設定すれば、これに伴ってリサイクル券リストが２通印刷される。そのうち１通は、図５で示されるような相手方保管用で、残りの１通は、受領印欄（図示せず）付きで収集運搬業者返却用であり、これによって管理の完全性が図られる。
したがって、前記返却リスト７は、廃棄物に関する管理事項の日付管理が可能になっているものである。また、この返却リスト７は、リサイクル番号（お問合せ管理票番号）、お客様（小売業者・回付業者）、作業日（回収日・搬入日）及び担当者の条件による検索も可能になっている。
【図面の簡単な説明】
【００１４】
【図１】  本発明の一実施形態に係るリサイクル券管理システムを説明するために示した概念的なブロック図である。
【図２】  小売業者回付を例示した家電リサイクル券の説明図である。
【図３】  ハンディスキャナの検索メニュー画面の関係を説明するために示した概念的なブロック図である。
【図４】  コンピュータ装置による作業データ読込及び返却リスト作成の手順を説明するために示したブロック図である。
【図５】  返却リストの一例を示す相手方保管用のリサイクル券リストの説明図である。
【符号の説明】
【００１５】  ＫＳＹ  小売業者ストックヤード
ＳＨＢ  指定取引場所
１      家電リサイクル券
２      ハンディスキャナ
３      現品貼付リサイクル券
４      小売業者控リサイクル券
５      小売業者回付リサイクル券
６      コンピュータ装置
７      返却リスト
【図１】
2009252226.tif 000003
【図２】
2009252226.tif 000004
【図３】
2009252226.tif 000005
【図４】
2009252226.tif 000006
【図５】
2009252226.tif 000007